(57)【要約】【課題】非定着時に、記録媒体の変形や位置ずれを抑制することの可能な定着装置及びそれを備えた画像形成装置を提供することにある。【解決手段】上記課題は、記録媒体を前記予熱手段に接触させるための吸引孔を形成した吸引面部と、非定着時に前記記録媒体を予熱手段から持ち上げて離間する持ち上げ部とを有し、側面に吸気孔を形成した回転部材を、前記予熱手段の記録媒体と接する側に回転可能に取り付け、記録媒体の定着時には、回転部材の吸引面部を記録媒体と対向させて吸気孔からの吸気により記録媒体を吸引孔で吸引しながら予熱手段に接触させ、記録媒体の非定着時には、回転部材を回転させて前記持ち上げ部によって記録媒体を予熱手段から持ち上げて離間すると共に、前記吸気孔からの吸気を阻止する構成によって達成できる。【選択図】図２
2007183353.tif 000002
【特許請求の範囲】
【請求項１】
加熱ローラと、当該加熱ローラに対して離接可能に設けられた加圧ローラと、前記加熱ローラと加圧ローラによる記録媒体搬送手段の搬送方向上流側に設けられた予熱手段と、定着時に記録媒体を前記予熱手段に接触させる吸引機構とを備えた定着装置において、
前記吸引機構は、前記記録媒体を予熱手段に接触させるために吸引孔を形成した吸引面部と、非定着時に前記記録媒体を前記予熱手段から持ち上げて離間する持ち上げ部とを有し、中空状で側面に吸気孔を形成した回転部材を、前記予熱手段の記録媒体と接する側に回転可能に取り付け、
前記記録媒体の定着時に、前記回転部材の吸引面部を記録媒体と対向させて前記吸気孔からの吸気によって記録媒体を吸引面部の吸引孔で吸引しながら予熱手段に接触させ、
前記記録媒体の非定着時には、前記回転部材を回転させて、前記持ち上げ部によって記録媒体を予熱手段から持ち上げて離間させると共に、前記吸気孔からの吸気を阻止する構成としたことを特徴とする定着装置。
【請求項２】
請求項１記載の定着装置において、
前記回転部材がかまぼこ状の形状となっており、当該かまぼこ状回転部材の平面部分に前記吸引面部を形成し、前記平面部分から断面円弧状に突出した部分に前記持ち上げ部を形成したことを特徴とする定着装置。
【請求項３】
感光体と、当該感光体を帯電する帯電装置と、帯電された感光体に対して露光により静電潜像を形成する現像装置と、感光体上の静電潜像にトナーを付着してトナー像を形成する現像装置と、前記トナー像を記録媒体上に転写する転写装置と、記録媒体上に転写したトナー像を定着する定着装置と、前記記録媒体を搬送する搬送経路とを備えた画像形成装置において、
前記定着装置が、加熱ローラと加圧ローラによる記録媒体搬送手段の搬送方向上流側に、予熱手段と定着時に記録媒体を前記予熱手段に接触させる第１の吸引手段を有し、
前記搬送経路上に記録媒体を吸引する第２の吸引手段を有して、前記第１の吸引手段と第２の吸引手段が共通の吸引ブロワーで吸引され、
前記第１の吸引手段で吸引しないときに、当該第１の吸引手段の吸引を阻止して、前記吸引ブロワーによって前記第１の吸引手段以外の少なくとも第２の吸引手段の吸引を行うように構成されていることを特徴とする画像形成装置。
【請求項４】
請求項３記載の画像形成装置において、
前記第１の吸引手段は、前記記録媒体を前記予熱手段に接触させるための吸引孔を形成した吸引面部と、非定着時に前記記録媒体を予熱手段から持ち上げて離間する持ち上げ部とを有し、中空状で側面に吸気孔を形成した回転部材を、前記予熱手段の記録媒体と接する側に回転可能に取り付け、
前記記録媒体の定着時には、前記回転部材の吸引面部を記録媒体と対向させて前記吸気孔からの吸気により記録媒体を前記吸引面部の吸引孔で吸引しながら前記予熱手段に接触させ、
前記記録媒体の非定着時には、前記回転部材を回転させて前記持ち上げ部によって記録媒体を予熱手段から持ち上げて離間すると共に、前記吸気孔からの吸気を阻止する構成としたことを特徴とする画像形成装置。
【請求項５】
第１の画像形成装置と、その第１の画像形成装置の記録媒体搬送方向の下流側に接続された第２の画像形成装置とを備えた複合画像形成装置において、
少なくとも前記第１の画像形成装置は、請求項３または４記載の画像形成装置であることを特徴とする複合画像形成装置。
【発明の詳細な説明】
【技術分野】
【０００１】
本発明は、定着装置及びそれを備えた画像形成装置に関する。
【背景技術】
【０００２】
レーザプリンタや複写機等に代表される画像形成装置の定着装置として、トナー像を保持した記録媒体を加熱ロールと加圧ロールとで挟持搬送しながら加熱加圧し、トナー像を記録媒体に定着させる様にした形態の定着装置が知られているが、印刷速度が速くなるにつれ、加熱ロールのみでの記録媒体へのトナー像の定着は難しくなる。そこで、トナー像を記録媒体に最適に定着できない状況を防止する為、前記加熱ロールと加圧ロールとで加熱加圧する前段階として、記録媒体を予熱する予熱板が設けられている。(例えば、特許文献１参照)
このような予熱板を備えた定着装置では、非定着時に、トナー像を有する記録媒体を予熱板上で待機させた場合に、トナー像が予熱板による予熱によって軟化し、予熱板等を汚染する場合がある。これを防ぐために、非定着時にトナー像を有する記録媒体を予熱板上で待機させた際に、予熱板上に載置されたトナー像を有する記録媒体を予熱板から持ち上げて予熱板から離間させる持ち上げ機構を備えた定着装置とすることが提案されている。(例えば、特許文献２参照)
【特許文献１】特開平７−４４０４３号公報
【特許文献２】特開平１０−１２３８６４号公報
【発明の開示】
【発明が解決しようとする課題】
【０００３】
しかしながら、上記特許文献２に記載されたものでは、予熱板等の汚染を防止するものの記録媒体の変形や位置ずれを生じる等の問題を招き易い。この点について、図１３及び図１４に基づいて具体的に説明する。
【０００４】
図１３及び図１４は、従来の定着装置の定着時及び非定着時における概略構成を示す図で、予熱板１０には画像形成時の用紙等の記録媒体６との接触を良くし、熱伝達を向上させるために第１の吸引部１４が設けられている。この第１の吸引部１４は吸引ボックス１７からのホース１５により吸引を行う。吸引ボックス１７は、予熱板１０以外に設けられた第２の吸引部１９にも連結されており、同一の吸引ブロアー１８を使用している。非定着時である画像形成処理の停止時は、記録媒体６の変形の大きな原因となる記録媒体６への過剰な加熱を防ぐために、加熱ロール１１ａと加圧ロール１１ｂによる加圧解除と同時に回転中心軸２２を支点として予熱板１０が下がり、記録媒体持ち上げ機構２０のピン２１が予熱板１０の表面より突出し、記録媒体６を予熱板１０より３mm程度持ち上げ記録媒体６への過剰な加熱による変形を防止しようとしている。
【０００５】
しかし、第２の吸引部１９の記録媒体６に対する吸引は、記録媒体６の移動を防ぐために吸引し続ける必要があり、同一の吸引ボックス１８とつながっている第１の吸引部１４も記録媒体６を吸引し続ける。第１の吸引部１４での吸引が続けられると、記録媒体の持ち上げ機構２０により記録媒体６が予熱板１０から浮いているとはいえ、第１の吸引部１４での吸引が続けられることにより、持ち上げ機構２０のピン２１に記録媒体６が押し付けられ、記録媒体変形の原因となる恐れがある。このような記録媒体変形は、画像形成装置を複数台並べて、記録媒体の両面印刷や多色印刷する場合に、ドラムからトナー像を転写する際に転写不良を発生させたり、記録媒体走行を不安定にさせる原因となる。
【０００６】
また、予熱板１０より記録媒体６は浮いているため、第１の吸引部１４から空気が漏れていることになり、第２の吸引部１９での記録媒体吸引力が低下し、記録媒体拘束力が無くなり記録媒体６の位置がずれてしまう恐れがある。このような位置ずれは、画像形成装置を複数台並べて、記録媒体の両面印刷や多色印刷する場合に、記録媒体位置が停止中ずれたまま印刷(画像形成)を開始した際に、定着した記録媒体を再度、加熱加圧して折角定着した印字を変位させてしまったり、印刷物の一部が未定着のままになってしまうという、印刷品質に重大な問題が起こってしまう。
【０００７】
本発明は、上述した従来技術における問題点を解決すべくなされたもので、その目的とするところは、非定着時に、記録媒体の変形や位置ずれを抑制することの可能な定着装置及びそれを備えた画像形成装置並びにこの画像形成装置を使用する複合画像形成装置を提供することにある。
【課題を解決するための手段】
【０００８】
上記目的を達成するために、本発明による第１の手段は、加熱ローラと、当該加熱ローラに対して離接可能に設けられた加圧ローラと、前記加熱ローラと加圧ローラによる記録媒体搬送手段の搬送方向上流側に設けられた予熱手段と、定着時に記録媒体を前記予熱手段に接触させる吸引機構とを備えた定着装置において、前記吸引機構は、前記記録媒体を予熱手段に接触させるために吸引孔を形成した吸引面部と、非定着時に前記記録媒体を前記予熱手段から持ち上げて離間する持ち上げ部とを有し、中空状で側面に吸気孔を形成した回転部材を、前記予熱手段の記録媒体と接する側に回転可能に取り付け、前記記録媒体の定着時に、前記回転部材の吸引面部を記録媒体と対向させて前記吸気孔からの吸気によって記録媒体を吸引面部の吸引孔で吸引しながら予熱手段に接触させ、前記記録媒体の非定着時には、前記回転部材を回転させて、前記持ち上げ部によって記録媒体を予熱手段から持ち上げて離間させると共に、前記吸気孔からの吸気を阻止する構成としたことを特徴とする定着装置としたものである。
【０００９】
本発明による第２の手段は、前記第１の手段記載の定着装置において、前記回転部材がかまぼこ状の形状となっており、当該かまぼこ状回転部材の平面部分に前記吸引面部を形成し、前記平面部分から断面円弧状に突出した部分に前記持ち上げ部を形成したことを特徴とする定着装置としたものである。
【００１０】
本発明による第３の手段は、感光体と、当該感光体を帯電する帯電装置と、帯電された感光体に対して露光により静電潜像を形成する現像装置と、感光体上の静電潜像にトナーを付着してトナー像を形成する現像装置と、前記トナー像を記録媒体上に転写する転写装置と、記録媒体上に転写したトナー像を定着する定着装置と、前記記録媒体を搬送する搬送経路とを備えた画像形成装置において、前記定着装置が、加熱ローラと加圧ローラによる記録媒体搬送手段の搬送方向上流側に、予熱手段と定着時に記録媒体を前記予熱手段に接触させる第１の吸引手段を有し、前記搬送経路上に記録媒体を吸引する第２の吸引手段を有して、前記第１の吸引手段と第２の吸引手段が共通の吸引ブロワーで吸引され、前記第１の吸引手段で吸引しないときに、当該第１の吸引手段の吸引を阻止して、前記吸引ブロワーによって前記第１の吸引手段以外の少なくとも第２の吸引手段の吸引を行うように構成されていることを特徴とする画像形成装置としたものである。
【００１１】
本発明による第４の手段は、前記第３の手段記載の画像形成装置において、前記第１の吸引手段は、前記記録媒体を前記予熱手段に接触させるための吸引孔を形成した吸引面部と、非定着時に前記記録媒体を予熱手段から持ち上げて離間する持ち上げ部とを有し、中空状で側面に吸気孔を形成した回転部材を、前記予熱手段の記録媒体と接する側に回転可能に取り付け、前記記録媒体の定着時には、前記回転部材の吸引面部を記録媒体と対向させて前記吸気孔からの吸気により記録媒体を前記吸引面部の吸引孔で吸引しながら前記予熱手段に接触させ、前記記録媒体の非定着時には、前記回転部材を回転させて前記持ち上げ部によって記録媒体を予熱手段から持ち上げて離間すると共に、前記吸気孔からの吸気を阻止する構成としたことを特徴とする画像形成装置としたものである。
【００１２】
本発明による第５の手段は、第１の画像形成装置と、その第１の画像形成装置の記録媒体搬送方向の下流側に接続された第２の画像形成装置とを備えた複合画像形成装置において、少なくとも前記第１の画像形成装置は、前記第３の手段または第４の手段記載の画像形成装置であることを特徴とする複合画像形成装置としたものである。
【発明の効果】
【００１３】
本発明によれば、上記構成を採用することによって、非定着時に、記録媒体の変形や位置ずれを抑制することの可能な定着装置及びそれを備えた画像形成装置並びにこの画像形成装置を使用する複合画像形成装置を提供することを可能としたものである。
【発明を実施するための最良の形態】
【００１４】
以下、本発明に係わる画像形成装置及び定着装置の一実施形態を、図面に基づいて説明する。
【００１５】
先ず、本発明の一実施形態に係わる画像形成装置について、図１に基づいて説明すると、図１は、本発明の一実施形態の画像形成装置の概略構成を示す図である。図中１は、画像形成プロセスによってトナー像を作成する感光ドラムであって、矢印ａの方向に一定の速度で回転するように支軸によって支持されている。帯電器２は、感光ドラム１の表面に対向するように配置され、この帯電器２に対向するように通過する感光ドラム１の表面を均一に帯電する。均一に帯電された感光ドラム１の表面を露光する露光手段３は、情報処理装置から供給される印刷情報信号に従って変調されて感光ドラム１の表面に静電潜像を形成する。現像装置４は、静電潜像が形成された感光ドラム１の表面と対向するように配置される。この現像装置４は、微粉トナーを前記静電潜像の静電力で感光ドラム１の表面に付着させてトナー像を形成する現像機能を有する。
【００１６】
用紙ホッパー７は、前記トナー像を転写及び定着して画像印刷を行うための例えば連続した帯状の印刷用紙等の記録媒体６を折りたたんだ状態で収容する。記録媒体搬送手段の一部を構成する第１の搬送ローラ８ａ、８ｂは、記録媒体６をホッパ７から取り込んで感光ドラム１に向けて送り出す。
【００１７】
第１の搬送ローラ８ａ、８ｂから送り出された記録媒体６は、その表面にトナー像を転写するように感光ドラム１の表面と接触する。転写器５は、感光ドラム１の表面に接触した記録媒体６の背面にトナー像とは反対極性の電荷を与え、感光ドラム１の表面に形成されているトナー像が記録媒体６の表面に転写するための静電力を発生させる。
【００１８】
記録媒体搬送手段の他の一部を構成する第２の搬送ローラ９ａ、９ｂは、トナー像が転写された記録媒体６を予熱板１０に送り込む。この予熱板１０は、定着ロール１１の手前側、即ち、定着ロール１１による記録媒体６の搬送方向Ｄの上流側の位置に設置されており、トナー像を保持した記録媒体６の裏面に接触して記録媒体６を予備加熱する。
【００１９】
予熱板１０は、記録媒体６の裏面が接触する面に、例えば電熱発熱体を取り付けた構成であり、予熱板１０は、その表面に記録媒体６が接触しながら移動する間に記録媒体６に付着しているトナー像が軟化する程度に記録媒体６を加熱する。予熱板１０の温度は、前記電熱発熱体に供給する電流を温度制御装置１６で制御することによって調整される。
【００２０】
互いに圧接した加熱ロール１１ａと加圧ロール１１ｂからなる一対の定着ロール１１は、予熱板１０と接触して予熱された記録媒体６を加熱及び加圧してトナー像を記録媒体６の表面に定着する。
【００２１】
プラーローラ１２ａ、１２ｂは、定着ロール１１から送り出された記録媒体６を引き込んでスタッカ１３内に折りたたんで収容したり、機外に排出したりする。
【００２２】
本発明においては、上記画像形成装置において、記録媒体６上に転写したトナー像を定着する定着装置に特徴を有するが、その具体的な定着装置の一実施形態について、図２〜図１１に基づいて説明する。
【００２３】
図２は、本発明による一実施形態の定着装置の定着時における概略構成を示す図で、図３は、本発明による一実施形態の定着装置に使用される定着時に記録媒体６を予熱板１０に接触させるための第１の吸引部（吸引機構）の平面図で、図４は、図３のＡ−Ａ線上で切断した断面図、図５は、図３の右側面図、図６は、図３で示しただい１の吸引部内で使用される回転部材の斜視図、図７は、図２で示す定着装置の非定着時における状態を示す概略構成図、図８は、図７の第１の吸引部の平面図、図９は、図８のＢ−Ｂ線上で切断した断面図、図１０は、図８の右側面図、図１１は、図８で示した第１の吸引部内で使用される非定着時における回転部材の斜視図である。
【００２４】
本発明による一実施形態の定着装置は、図２に示すように、定着時には、表面にトナー像を有する記録媒体６が、その搬送方向Ｄで加熱ロール１１ａ及び加圧ロール１１ｂの上流側に設置された予熱板１０で予熱され、その後、加熱ロール１１ａ及び加圧ロール１１ｂで記録媒体６を加熱、加圧して記録媒体６上のトナー像を定着すると共に、駆動回転するこれらのロール１１ａ及び１１ｂによって記録媒体６をＤ方向に搬送する。この予熱時に、記録媒体６は、予熱板１０での予熱を効果的に受けるために、予熱板１０の中間部２箇所で、第１の吸引部１４によって吸引されて予熱板１０に接触させられている。この第１の吸引部１４は、吸引ボックス１７からのホース１５により吸引を行い、吸引ボックス１７は、第１の吸引部１４以外に設けられた後述する第２の吸引部１９等ともホース１５により連結され、１台の吸引ブロアー１８によって吸引されている。
【００２５】
第１の吸引部１４は、図３〜図６に示すように、一辺に開口３５を有する長方形箱状のケース３０内に、両端に回転軸３１を有し、前記開口３５とほぼ同一の長さと幅を有するかまぼこ状の回転部材３２が回転自在に収納されており、回転部材３２は、ケース３０から突出された前記回転軸３１がギア３３を介して駆動モータ３４と連結され、駆動モータ３４の回転によって前記回転部材３２が回転されるように構成されている。また、前記開口３５と回転部材３２の周囲には、開口３５と回転部材３２との間隙からの空気の漏れを防ぐために、クロロプレンやネオプレン等の合成ゴム等のシール材３６が取り付けられている。
【００２６】
回転部材３２は、図４で示すように、中空となっており、平坦面３７と円弧面３８を有しており、平坦面３７には、多数の吸引孔３９が設けられており、回転部材３２の一側面の回転軸３１から偏移した位置に吸気孔４０が形成されている。一方、この吸気孔４０に対向するケース３０の側面の位置に、前記吸引ボックス１７に連結され、画像形成装置の作動中、常時、吸引状態にあるホース１５を接続するためのホース連結部４１が形成されており、前記回転部材３２の吸気孔４０とホース連結部４１とが連結されたときに、回転部材３２の中空の内部が吸気され、回転部材３２の平坦面３７に形成された吸引孔３９から吸引を行い、搬送方向Ｄから搬送された記録媒体６を吸引し、記録媒体６を予熱板１０に接触させるように構成されている。このように、定着時には、回転部材３２の平坦面３７が記録媒体６に面するように設定されており、吸引孔３９から記録媒体６を吸引して記録媒体６を予熱板１０に接触させるが、この接触を効果的に行うため、前記平坦面３７を予熱板１０の表面と面一とするか、この表面より僅かに下方となるようにケース３０を予熱板１０に取り付けられている。
【００２７】
次に、この実施形態の定着装置の非定着時の動作について図７〜図１１に基づいて説明すると、非定着時には、予熱板１０の上方に取り付けられた回転軸２２を回転させて予熱板１０及び第１の吸引部１４を下方に移動させると共に加圧ロール１１ｂをも下方に移動させて加熱ロール１１ａから離反させ、記録媒体６の搬送を停止する。この場合、第２の吸引部１９が吸気して記録媒体６を所定に位置に吸引保持する。(図７参照)
一方第１の吸引部１４は、記録媒体６の搬送停止に伴い、前述の駆動モータ３４を駆動回転させて回転部材３２を１８０度回転して円弧面３８を顕出させる。この円弧面３８の顕出によって記録媒体６が持ち上げられ、記録媒体６は、図７に示すように、予熱板１０から浮き上がり離間して、予熱板１０で加熱されることを抑制されることになる。
【００２８】
この回転部材３２の回転に伴い、回転部材３２の吸気孔４０も１８０度回転され、図１０に示すように、ホース連結部４１との連結が外れ、回転部材３２への吸気が遮断され、ホース連結部４１が回転部材３２の側壁４２で封口されることになる。この場合、回転部材３２の円弧面３８には、記録媒体６を吸引するための吸引孔は形成されていないため、記録媒体６がこの円弧面３８に載置されるだけなので記録媒体６の変形を抑制することができる。なお、回転部材３２を回転する駆動モータ３４は、ステッピングモータを使用したり、角度検出センサを取り付けたりし、モータ３４の回転角度を制御し、平坦面３７及び円弧面３８と予熱板１０との位置関係が正確に行えるようになっている。
【００２９】
以上のように、上記実施形態の定着装置においては、簡単な構造の定着装置とすることによって、定着時には、記録媒体６を吸引して適切に予熱板１０に接触できると共に、非定着時には、回転部材３２の円弧面３８で記録媒体６を持ち上げ予熱板１０から離間させると共に、第１の吸引部１４の吸引を遮断して第２の吸引部１９の吸引力を低下させることなく、第２の吸引部１９によって記録媒体６を所定の位置に吸着保持できると共に、第１の吸引部１４での記録媒体６の変形を抑制することができる。
【００３０】
上記実施形態においては、回転部材の形状をかまぼこ状としているが、この形状に限らず、三角柱や四角柱状とすることもできるが、かまぼこ状とした場合には、記録媒体６を持ち上げる面を円弧面として、記録媒体６への変形を良好に抑制するので好適である。
【００３１】
また、予熱板１０は、板状体に限らず他の形状の予熱手段を採用することもできる。さらに、第１の吸引部１４は、記録媒体６の搬送経路に沿って予熱手段１０内に１個あれば十分であるが、複数個を間隔を置いて設置する場合には、記録媒体６への予熱板１０による加熱を抑制できるので好ましい。
【００３２】
上記実施形態では、第２の吸引部１９を搬送方向Ｄで予熱板１０の上流側に設置しているが、予熱板１０の下流側またはその両方にあってもよい。また、ブロアー１８は、第１の吸引部１４と第２の吸引部１９の両方を吸引しているが、前述の画像形成装置の第１または第２の搬送ローラとして圧接ローラに代えてベルトコンベアと吸引手段による搬送手段を採用した場合に、この吸引手段を前記同一のブロアー１８によって行ってもよい。
【００３３】
次に、本発明による一実施形態の複合画像形成装置について、図１２に基づいて説明すると、図１２は、本発明による一実施形態の複合画像形成装置の概略構成を示す斜視図で、図中の符号は、前記実施形態で使用した構成と同一のものについては、同一符号を使用している。
【００３４】
この複合画像形成装置においては、基本的には、前記実施形態の画像形成装置Ａ及びＢを２台使用し、画像形成装置Ａにおいて記録媒体６の表面に所要の画像を形成し、記録媒体反転装置Ｃで記録媒体６を反転して、画像形成装置Ｂにおいて記録媒体６の裏面に画像形成を行っている。この複合画像形成装置においては、画像形成処理を制御するプリンタコントローラ２３及びホストコンピュータ２４を備え、ホストコンピュータ２４からの印刷情報に従って２台の画像形成装置Ａ及びＢが制御されている。
【００３５】
これらの画像形成装置Ａ及びＢには、前述の定着装置が取り付けられており、非定着時に、第１の吸引部１４と第２の吸引部１９が前述のような動作をおこなうように構成されている。従って、画像形成装置Ａ及びＢにおいて、非定着時に、予熱板１０から記録媒体が適切に離間され、記録媒体の位置ずれや変形を良好に抑制することができる。
【産業上の利用可能性】
【００３６】
本発明による定着装置は、画像形成装置において好適に使用することができるが、他の同様な印刷装置においても同様に適用が可能である。
【図面の簡単な説明】
【００３７】
【図１】本発明の一実施形態に係わる画像形成装置の概略構成を示す図である。
【図２】本発明による一実施形態の定着装置の定着時における概略構成を示す図である。
【図３】本発明による一実施形態の定着装置に使用される第１の吸引部の定着時の状態を示す平面図である。
【図４】図３のＡ−Ａ線上で切断した断面図である。
【図５】図３の右側面図である。
【図６】図３の第１の吸引部で使用される回転部材の斜視図である。
【図７】図２で示す定着装置の非定着時における状態を示す概略構成図である。
【図８】図７の第１の吸引部の平面図である。
【図９】図８のＢ−Ｂ線上で切断した断面図である。
【図１０】図８の右側面図である。
【図１１】図８で示した第１の吸引部で使用される回転部材の斜視図である。
【図１２】本発明による一実施形態の複合画像形成装置の概略構成を示す斜視図である。
【図１３】従来の定着装置の定着時の概略構成を示す図である。
【図１４】従来の定着装置の非定着時の概略構成を示す図である。
【符号の説明】
【００３８】
１    感光ドラム
２    帯電器
３    露光器
４    現像装置
５    転写器
６    記録媒体
７    用紙ホッパ
８ａ、８ｂ    第１の搬送ローラ
９ａ、９ｂ    第２の搬送ローラ
１０    予熱板
１１  定着ロール
１１ａ  加熱ロール
１１ｂ  加圧ロール
１２ａ、１２ｂ  プラローラ
１３  スタッカ
１４  第１の吸引部
１５  ホース
１６  温度制御装置
１７  吸引ボックス
１８  吸引ブロアー
１９  第２の吸引部
２０  持ち上げ機構
２１  ピン
２２  回転中心軸
２３  プリンタコントローラ
２４  ホストコンピュータ
３０  ケース
３１  回転軸
３２  回転部材
３３  ギア
３４  駆動モータ
３５  開口
３６  シール材
３７  平坦面
３８  円弧面
３９  吸引孔
４０  吸気孔
４１  ホース連結部
４２  側面部
【図１】
2007183353.tif 000003
【図２】
2007183353.tif 000004
【図３】
2007183353.tif 000005
【図４】
2007183353.tif 000006
【図５】
2007183353.tif 000007
【図６】
2007183353.tif 000008
【図７】
2007183353.tif 000009
【図８】
2007183353.tif 000010
【図９】
2007183353.tif 000011
【図１０】
2007183353.tif 000012
【図１１】
2007183353.tif 000013
【図１２】
2007183353.tif 000014
【図１３】
2007183353.tif 000015
【図１４】
2007183353.tif 000016